(57)【要約】      （修正有）【課題】火災時に戸車が熔融した場合であっても、障子を下枠のレール上に安定して支持して障子の降下を防止し、障子のガラスの割れや外れを防止する。【解決手段】建物開口部に配置される枠体と、枠体内に開閉自在に配置される障子を備え、障子は、下框２２の下レールの案内溝内に火災時に障子の下がりを防止するための下がり規制部材を有しており、下がり規制部材は、見付け方向両端に案内レールに沿って下方に向けて突出する内突条部、外突条部を備えている。【選択図】図３
2018066243.tif 000002
【特許請求の範囲】
【請求項１】
建物開口部に配置される枠体と、枠体内に開閉自在に配置される障子を備え、
障子は、下框の下レールの案内溝内に火災時に障子の下がりを防止するための下がり規制部材を有しており、
下がり規制部材は、見付け方向両端に案内レールに沿って下方に向けて突出する内突条部、外突条部を備えている
ことを特徴とする建具。
【発明の詳細な説明】
【技術分野】
【０００１】
本発明は、建物開口部に配置される防火建具に関する。
【背景技術】
【０００２】
建物開口部に設けられたレールに沿って引違い自在に配置された障子を有する建具において、レール上を走行する戸車が火災時の加熱により熔融したときに、障子の下框に設けられた補強材の支持部がレール上に載置されることで、障子の降下を押さえることのできる建具が公知となっている。（特許文献１）。
【先行技術文献】
【特許文献】
【０００３】
【特許文献１】特開２０１５−１９７００３号
【発明の概要】
【発明が解決しようとする課題】
【０００４】
前記特許文献１の建具は、戸車が熔融したときにレール上に載置される支持部が、障子の下框の下レール収容溝内に配置した補強部材の一部を切起こして形成されており、その下端は直線上に形成されているために、レール上に載置されたときに安定せず、室内側もしくは室外側にずれて障子が降下し、ガラスが割れたり、障子が外れたりする可能性があった。
【０００５】
本発明は、上記の事情を鑑み、火災時に戸車が熔融した場合であっても、障子を下枠のレール上に安定して支持して障子の降下を防止し、障子のガラスの割れや外れを防止することを目的とする。
【課題を解決するための手段】
【０００６】
本発明は、  建物開口部に配置される枠体と、枠体内に開閉自在に配置される障子を備え、障子は、下框の下レールの案内溝内に火災時に障子の下がりを防止するための下がり規制部材を有しており、下がり規制部材は、見付け方向両端に案内レールに沿って下方に向けて突出する内突条部、外突条部を備えていることを特徴とする。
【発明の効果】
【０００７】
本発明の構成により、火災時に戸車が熔融した場合に、障子を下レール上に安定して載置することができ、障子が大きく降下してガラスが割れたり、障子が外れたりすることを長い時間に亘って抑制することができる。
【図面の簡単な説明】
【０００８】
【図１】本発明の実施形態に係る防火サッシの縦断面図である。
【図２】本発明の実施形態に係る防火サッシの横断面図である。
【図３】本発明の実施形態に係る防火サッシの下枠部分の通常時における拡大縦断面図である。
【図４】本発明の実施形態に係る防火サッシの外障子の召合わせ框に配置される補強部材を説明するための図であり、（ａ）は外障子召合せ框の横断面図、（ｂ）は補強部材の側面図、（ｃ）は外障子召合せ框の下端に取り付けられる下端キャップの平面図、（ｄ）は下端キャップを取り付けた状態の外障子召合せ框の横断面図である。
【図５】本発明の実施形態に係る防火サッシの障子に用いる下がり規制部材を説明するための図であり、（ａ）は、下がり規制部材の斜視図、（ｂ）は同断面図、（ｃ）は同下方からみた平面図、（ｄ）は障子の下框に取り付けた状態の斜視図である。
【図６】本発明の実施形態に係る防火サッシの下がり規制部材を説明するための図であり、（ａ）は通常状態の下枠及び下框部分の縦断面図、（ｂ）は通常状態における図６（ａ）の領域Ａの拡大縦断面図、（ｃ）は火災時に戸車が溶解した状態の同領域Ａの拡大縦断面図である。
【図７】本発明の実施形態に係る防火サッシの外れ止め金具を説明するための図であり、（ａ）は通常状態の下枠及び下框部分の縦断面図、（ｂ）は通常状態における図７（ａ）の領域Ｂの拡大縦断面図、（ｃ）は火災時に戸車が溶解した状態の同領域Ｂの拡大縦断面図である。
【発明を実施するための形態】
【０００９】
本発明の実施形態に係る防火サッシを、図面を参照して説明する。
（全体の構成）
本発明の実施形態に係る防火サッシは、建物開口部に設置され、図１，２に示すように、上枠１１、下枠１２及び左、右縦枠１３，１４を四周に組んでなる枠体１と、上框２１，３１、下框２２，３２、左縦框２３，３３及び右縦框２４，３４を四周に組んでその内周にパネル体が嵌め込まれてなる内、外障子２，３とからなり、枠体１に形成された内、外案内レールに沿って内、外障子２，３を左右方向に移動可能に支持することにより、引き違いサッシとして構成されている。
なお、本発明の防火サッシは、引き違いサッシに限るものではなく、片引き窓など、窓枠に対して障子が開閉するものであれば、どのような方式のサッシであってもよい。
【００１０】
（枠体の構成）
図１に示すように、枠体１を構成する上枠１１は、アルミニウム等の金属材料により形成され中空部を有する室外側上部材１１１と、アルミニウム等の金属材料により形成された室内側上部材１１２と、室外側上部材１１１と室内側上部材１１２とを連結する樹脂等の断熱材料から形成された連結部材１１３と、室内側上部材１１２の下面内周に配置固定される樹脂材料から形成された樹脂上部材１１４とにより構成されている。
室外側上部材１１１の室外寄りの下面には、外障子３を案内する外案内レール１１１ａが垂下されており、室内側上部材１１２の室外側端部の下面には、内障子２を案内する内案内レール１１２ａが垂下されている。
【００１１】
樹脂上部材１１４は、室内側上部材１１２の内案内レール１１２ａの室内面を覆う室外壁部１１４ａと、室内側上部材１１２の下面を覆う上壁部１１４ｂと、上壁部１１４ｂの室内側端が下方に垂下してしてなる室内壁部１１４ｃと、室内壁部１１４ｃの下端が室内側に延設されてなる額部１１４ｄとから形成されており、室内側上部材１１２が直接室内空間に露出することを防止している。
【００１２】
内障子２と外障子３の召合せ部の上方位置であって、上枠１１の外案内レール１１１ａと内案内レール１１２ａの間には、図示しない風止板が配置されており、風止板と左縦枠１３との間、すなわち閉鎖状態における外障子３の室内側には、上枠１１の室外側上部材１１１の下面を覆う樹脂製の上カバー部材５１が配置されている。
上カバー部材５１によって、内、外障子２，３の閉鎖状態において外障子３の室内側の室外側上部材１１１の下面から冷熱が室内に直接伝達されることを防止している。そして、上カバー部材５１の室外側下面には、室内側の下方に向かって傾斜状態に延びる可動片５１ａが配置されている。
【００１３】
枠体１を構成する下枠１２は、アルミニウム等の金属材料により形成され上面に内、外案内レール１２１ａ，１２１ｂが設けられた下枠本体１２１と、下枠本体１２１の外案内レール１２１ｂの室外側に配置される下枠補助部材１２２と、下枠本体１２１の内、外案内レール１２１ａ，１２１ｂ間に配置される下枠レール間補助部材１２３と、下枠本体１２１の内案内レール１２１ａの室内側に配置固定される樹脂製の樹脂下部材１２４を備えている。
【００１４】
下枠本体１２１は、図３に示すように、室外側部分が中空部１２ａにより形成され、中空部１２ａの室外側面から室外側に延設した後に上方に延びる室外側部材１２１ｃが設けられており、室外側部材１２１ｃの上方に下枠補助部材１２２が配置されている。
下枠補助部材１２２と外案内レール１２１ｂとの間には、外障子３の下框３２の室外側下端に垂下する室外側垂下片３２１ｂが見付け方向にスライド自在に挿入されるガイド溝１２ｃが形成されている。
【００１５】
下枠本体１２１の内、外案内レール１２１ａ，１２１ｂ間に配置される下枠レール間補助部材１２３は、下方に開口する断面略Ｕ字状をなしており、室外側面及び上面には火災時に膨張する加熱膨張材ｆが配置されている。また、下枠レール間補助部材１２３の上面には、樹脂カバー部材１２５が配置されている。
下枠レール間補助部材１２３の見込み寸法は、内、外案内レール１２１ａ，１２１ｂの間隔よりも小さく設定されており、下枠レール間補助部材１２３と内案内レール１２１ａとの間には、内障子２の下框２２の室外側下端に垂下する室外側垂下片２２１ｂが見付け方向にスライド自在に挿入されるガイド溝１２ｂが形成されている。
【００１６】
下枠本体１２１の内案内レール１２１ａの室内側に配置される樹脂下部材１２４は、下枠１２の室内側上面を構成する上壁部１２４ａと、上壁部１２４ａの室外側端部から垂下する室外側脚部１２４ｂと、上壁部１２４ａの室内側下面から垂下する室内側脚部１２４ｃと、上壁部１２４ａの室内側に延びる顎部１２４ｄからなり、内案内レール１２１ａの室内側に係止されて下枠本体１２１の内案内レール１２１ａの室内側内周面を覆っている。樹脂下部材１２４の上壁部１２４ａの下面には、火災時に膨張する加熱膨張材ｆが配置されている。
【００１７】
内障子２を案内する内案内レール１２１ａ及び外障子３を案内する外案内レール１２１ｂは、室外側面の上方部分に室外側に向かって開口して気密材ｓを保持する気密材保持溝が設けられており、気密材保持溝の上方に上部壁１２１ｄ，１２１ｅが幅広に形成され上面に内、外障子２，３を案内する案内条１２１ｆ、１２１ｇが突設されている。
そして、下枠本体１２１の内、外案内レール１２１ａ，１２１ｂの上部壁１２１ｄ，１２１ｅと、下枠補助部材１２２の上面と、下枠レール間補助部材１２３の上面に配置される樹脂カバー部材１２５の上面と、樹脂下部材１２４の上面とが略同一高さとなるように設定されることで、下枠１２の上面が略フラットな形状となるように形成されている。
【００１８】
図２に示すように、左縦枠１３は、アルミニウム等の金属材料により形成され、内周面に外障子３の戸先框（左縦框）３３に配置される引寄せブロックｄが当接する引寄せ片１３１ａが設けられた本体部材１３１と、本体部材１３１の室内側内周面に配置固定される樹脂左部材１３２を有している。
樹脂左部材１３２は、本体部材１３１に係合され左縦枠１３の室内側内周面を覆う本体部１３２ａと、本体部１３２ａの室内側に延設する額部１３２ｂを備え、樹脂左部材１３２の本体部１３２ａには、上下方向の複数箇所において内周方向に開口する取付凹部１３２ｃを有し、取付凹部１３２ｃの底壁を本体部材１３１に重合させた状態で、両者を貫通するネジ等の固定手段ｂで内周側から複数箇所固定することにより、建物の開口部に強固に取付けられている。
そして、取付凹部１３２ｃには樹脂製のキャップ１３２ｄが装着されることにより、アルミニウム等よりなる左縦枠１３の本体部材１３１を介してネジ等の固定手段に伝達された冷熱が室内への伝達されることを抑制すると共に、ネジ等の固定手段ｂの頭部が室内に露出することによる意匠の低下を抑えている。
なお、取付凹部１３２ｃは、樹脂左部材１３２の長手方向（上下方向）に連続する溝部として構成してもよい。
【００１９】
右縦枠１４は、アルミニウム等の金属材料により形成され、内周面に内障子２の戸先框（右縦框）２４に配置される引寄せブロックｄが当接する引寄せ片１４１ａが設けられた本体部材１４１と、本体部材１４１の室内側内周面に配置固定される樹脂右部材１４２により構成されている。
樹脂右部材１４２は、本体部材１４１に係合される取付部１４２ａと、取付部１４２ａの室内側端より内周方向へ延びる室内壁部１４２ｂと、室内壁部１４２ｂの内周側端より室内側へ延設する額部１４２ｃにより構成され、取付部１４２ａを本体部材１４１に係合させた状態で、両者を貫通するネジ等の固定手段ｂで内周側から複数箇所固定することにより、建物の開口部に強固に取付けられている。
【００２０】
（障子の構成）
図１に示すように、内障子２の上框２１は、アルミニウム等の金属材料により形成され中空部２１１ａを有する室外側上框部２１１と樹脂材料等により形成され中空部２１２ａを有する室内側上框部２１２とからなる複合框として構成されている。室外側上框部２１１の外周には、上枠１１に形成された内案内レール１１２ａにより案内される案内溝２１ａが形成されているとともに、上框２１の内周には、室外側上框部２１１と室内側上框部２１２とによってパネル間口２１ｂが形成されている。
案内溝２１ａの室外側上端及び室内側上端には、内案内レール１１２ａに当接もしくは近接する気密材が取付けられており、上枠１１と上框２１との間を気密して、上框２１の上面と上枠１１下面との間を通って外気が直接室内に入り込むことを防止して、サッシの断熱性能を向上させている。
また、案内溝２１ａの室内側面及び底面には、加熱により膨張する加熱膨張材が配置されている。
【００２１】
内障子２の下框２２は、アルミニウム等の金属材料により形成され中空部２２１ａを有する室外側下框部２２１と樹脂等より形成され中空部２２２ａを有する室内側下框部２２２とからなる複合框として構成されており、下框２２の外周には案内溝２２ａが形成されて下枠１２に形成された内案内レール１２１ａ上を走行する戸車ａが配置されているとともに、下框２１の内周には、室外側下框部２２１と室内側下框部２２２とによってパネル間口２２ｂが形成されている。
図１，３に示すように、室外側下框部２２１の室外側は、戸車ａの下端よりも下方に延設されて室外側垂下片２２１ｂが形成されており、室外側垂下片２２１ｂは、下枠レール間補助部材１２３と内案内レール１２１ａとの間のガイド溝１２ｂに挿入されて、内案内レール１２１ａの室外側面に配置された気密材ｓに当接している。
【００２２】
図２に示すように、内障子２の戸先框（右縦框）２４は、アルミニウム等の金属材料により形成され中空部２４１ａを有する室外側戸先框部２４１と、樹脂等より形成され中空部２４２ａを有する室内側戸先框部２４２とからなる複合框として構成されている。
戸先框（右縦框）２４の外周には右縦枠１４に形成された引寄せ片１４１ａに当接する引寄せブロックｄが設置されているとともに、戸先框（右縦框）２４の内周には、室外側戸先框部２４１と室内側戸先框部２４２とによってパネル間口２４ｂが形成されている。
室外側戸先框部２４１の外周端には内障子２の閉鎖時に引寄せ片１４１ａに当接する気密材が取付けられており、右縦枠１４と戸先框２４との間を気密してサッシの断熱性能を向上させている。
【００２３】
内障子２の召合框（左縦框）２３は、アルミニウム等の金属材料により形成され中空部２３１ａを有する室外側召合框部２３１と樹脂等により形成され中空部２３２ａを有する室内側召合框部２３２とからなり、室内側召合框部２３２が室外側召合框部２３１の室内側面及び外周面、即ち、障子の閉鎖時に室内に露出する面を覆うように係合され複合框として構成されている。
召合框（左縦框）２３の内周には、室外側召合框部２３１と室内側召合框部２３２とによってパネル間口２３ｂが形成されている。
召合框（左縦框）２３の外周面にはクレセント錠８１が取付けられているとともに、室外側召合框部２３１の室外側面には煙返し片が形成され、外障子３の召合框３４の室内側面に形成された煙返し片と協働して煙返しｃを構成している。
【００２４】
外障子３は、召合框（右縦框）３４の構成が内障子２と異なっており、その他の点においては、概ね内障子２と同様であるので、召合框３４についてのみ説明し、外障子３の他の框材についての説明は省略する。
外障子３の召合框（右縦框）３４は、アルミニウム等の金属材料により形成され中空部３４ａを有しているとともに、中空部３４ａの内周にパネル間口３４ｂが形成されている。
召合框（右縦框）３４の室内側面の外周端部には内障子２の召合框（左縦框）２３の室外側面に当接する気密材ｓが取付けられており、外障子３の召合框３４と内障子２の召合框２３との間を通って外気が直接室内に入り込むことを防止してサッシの断熱性能を向上させている。
また、召合框（右縦框）３４の室内側面にはクレセント受け８２が取付けられている。
【００２５】
（補強材による耐火構造）
本実施形態の防火サッシにおいては、建具の重量がかかる下枠１２の中空部内、及び、内障子２、外障子３を構成する縦框材の中空部内に、火災時に建具の形状を保つための補強部材が配置されている。以下に説明する。
−下枠−
図３に示すように、下枠１２の中空部１２ａ内には、スチールもしくはアルミ合金等からなる補強部材９１２が中空部１２ａの上面に固定されて配置されている。
補強部材９１２は、中空部の上面に固定される上壁部９１２ａと上壁部９１２ａの室外側端に連続する室外側壁部９１２ｂと室外側壁部９１２ｂの下端より室内方向に連続する底壁部９１２ｃと上壁部９１２ａの室内側端から下方に連続する室内側壁部９１２ｄとからなる長尺部材として形成され、室外側壁部９１２ｂの上方位置の室内側面と下方位置の室外側面には、加熱により膨張する加熱膨張材ｆが排水路等に対向するように配置されており、火災時に排水路等を塞ぐことで、室内外の火炎や煙の連通を防止する。
また、室内側壁部９１２ｄには、断面略Ｌ字状の補助部材９１２ｅが取り付けられており、補助部材９２１ｅの上面には加熱により膨張する加熱膨張材ｆが配置されている。
【００２６】
−戸先框−
図２示すように、内、外障子２，３の戸先框２４，３３の室外側戸先框部２４１，３３１の中空部２４１ａ，３３１ａ内には、長手方向に沿ってスチールもしくはアルミニウム合金等からなる補強部材９２４，９３３が配置されており、内障子２の戸先框２４のパネル間口２４ｂに配置された金属材料からなるガラス外れ止め部材、及び、外障子３の戸先框３３のパネル間口３３ｂに配置された金属材料からなるガラス外れ止め部材にそれぞれビス等の固定手段により固定されている。
【００２７】
−召合框−
内障子２の召合框２３の中空部２３１ａ内には、長手方向に沿ってスチールもしくはアルミニウム合金等からなり断面略Ｕ字状の補強部材９２３が開口部を室外側に向けて配置されており、断面略Ｕ字状の一側壁部が内障子２の召合框２３のパネル間口２３ｂに配置された金属材料からなるガラス外れ止め部材にビス等の固定手段により固定されている。
また、外障子３の召合框３４の中空部３４ａ内には、長手方向に沿ってスチールもしくはアルミニウム合金等からなり断面略Ｕ字状の補強部材９３４が開口部を室内側に向けて配置されており、断面略Ｕ字状を構成する内周側壁部９３４ｂが外障子３の召合框３４のパネル間口３４ｂに配置された金属材料からなるガラス外れ止め部材にビス等の固定手段により固定されている。
補強部材９２３，９３４の底面には、火災時に膨張する加熱膨張材ｆが配置されている。
【００２８】
そして、外障子３の召合框３４の中空部３４ａ内に配置される補強部材９３４は、図４（ａ），（ｂ）に示すように、内周側壁部９３４ｂの内側下端に下方に向けて突出するように外れ止め金具９３４ｄが固定されている。
外障子３の召合框３４の下端には、図４（ｃ），（ｄ），図７に示すように、樹脂製の下端キャップ７が装着されており、下端キャップ７の一部には、挿通孔７ａが形成されている。
補強部材９３４に固定された外れ止め金具９３４ｄの下端は、外障子３の召合框３４の下端に装着される樹脂製の下端キャップ７の下面よりも下方に位置しており、下端キャップ７に形成された挿通孔７ａから下方に突出している。
下端キャップの下方に突出した外れ止め金具９３４ｄの下端は、通常状態において、外案内レール１２１ｂの上端よりも上方に位置している（図７（ａ）（ｂ））。
【００２９】
−下框−
図１示すように、内、外障子２，３の下框２２，３２の室外側下框部２２１，３２１の上方中空部２２１ａ，３２１ａ内には、長手方向に沿ってスチールもしくはアルミニウム合金等からなる断面略Ｕ字状の補強部材が開口部を室内側に向けて配置されており、また、室外側下框部２２１，３２１の下方中空部２２１ｂ，３２１ｂ内の戸車ａが存在しない部位には、長手方向に沿ってスチールもしくはアルミニウム合金等からなる断面略Ｕ字状の補強部材９２２，９３２が開口部を室内側に向けて配置されている。
【００３０】
（下がり規制部材）
以上のように、本実施形態の防火サッシにおいては、下枠１２及び障子２の縦框の中空部内に補強部材を配置して、火災時に障子２，３の形状を維持することで、室内外の煙の連通を遅らせるとともに、炎の連通による延焼を抑制している。
しかし、近年の建具においては、軽量化や断熱性の点から例えば障子の戸車等の部材として樹脂部材を多く使用しており、火災時に障子の戸車等の樹脂部材が溶融して障子がレールから脱落し、枠体から外れてしまったり、外れなくてもずれて隙間が生じて延焼する可能性があった。
【００３１】
そこで、本実施形態の防火サッシにおいては、内、外障子２，３の下框２２，３２の案内溝２２ａ，３２ａ内に下がり規制部材６を配置することにより、内、外障子２，３の内、外案内レール１２１ａ，１２１ｂからの脱落を防止して、長期間に亘って防火性能を維持することを可能にしている。
以下、説明する。
【００３２】
図５（ａ）ないし（ｃ）に示すように、下がり規制部材６は、金属材料からなる断面略矩形の短尺状の中実ブロック部材からなり、ブロック部材の一面には、長手方向両側端に沿って内、外突条部６１，６２が形成され、内、外突条部６１，６２間には凹状のレール載置部６３が形成されている。
また、下がり規制部材６の一面の略中央位置には対向する他面に向かって貫通する固定孔６ａが形成されている。
そして、図５（ｄ）に示すように、下框２２，３２の案内溝２２ａ，３２ａ内の戸車ａの近傍に、一面を下面として固定孔６ａを介してビス等の固定手段により固定されている。
【００３３】
下がり規制部材６の作用について、外障子３の下框３２の案内溝３２ａ内に配置される下がり規制部材６を用いてさらに説明する。
下がり規制部材６は、図６（ａ），（ｂ）に示すように、  内、外突条部６１，６２が外案内レール１２１ｂに沿って下方に向けて突出しており、レール載置部６３が外案内レール１２１ｂの案内条１２１ｇに対向するように配置される。
通常時においては障子が戸車ａにより支えられているので、図６（ｂ）に示すように、下がり規制部材６の内、外突条部６１，６２の下端は外案内レール１２１ｂの案内条１２１ｇよりも上方位置に配置されており、下がり規制部材６が外案内レール１２１ｂに干渉することなく、戸車ａによって外案内レール１２１ｂ上をスムーズに走行することができる。
また、火災時に戸車ａが溶解した時には、図６（ｃ）に示すように、下がり規制部材６の内、外突条部６１，６２が外案内レール１２１ｂの上部壁１２１ｅに載置され、それ以上、障子が大きく下降することを防ぐことができる。
ここで、下がり規制部材６の固定位置の上方位置において、下框２２，３２の下方中空部２２１ｂ，３２１ｂの内部に補強部材９２２，９３２が配置されているので、ピース状の下がり規制部材６から下框２２，３２が受ける力を補強部材９２２，９３２で受けることで、下框２２，３２の潰れを防いでいる。
【００３４】
そして、図６（ｂ）に示すように、上部壁１２１ｅの見込み方向幅寸法ｄ２を下がり規制部材６の内、外突条部６１，６２の間隔ｄ１よりも大きく形成するとともに、図６（ｃ）に示すように、障子が室外側にずれて室内側の内突条部６１が案内条１２１ｇの室内側部に当接した状態において室外側の外突条部６２が上部壁１２１ｅに載置された状態を維持することができるように上部壁１２１ｅの見込み方向幅寸法ｄ２を設定することによって、すくなくとも障子が室外側に外れることをより防止することができる。
さらに、内、外突条部６１，６２の高さ寸法と外案内レール１２１ｂの案内条１２１ｇの高さ寸法とをほぼ同じくすることによって、内、外突条部６１，６２が上部壁１２１ｅに支持された状態で、レール載置部６３が案内条１２１ｇの上部によって支持されることになるので、下がり規制部材６は外案内レール１２１ｂに対して常に二点以上で支持されることとなり、安定した支持をすることができる。
【００３５】
また、火災時に戸車ａが溶解し、下框３２に配置された下がり規制部材６が外案内レール１２１ｂに当接して支持された状態においては、図７（ｃ）に示すように、補強部材９３４に下方に向けて突出するように固定した外れ止め金具９３４ｄの下端が、外案内レール１２１ｂの上端よりも下方に位置することになり、下框３２が室外側に移動するのを阻止することができ、外障子３の変形を抑制し、室外側に外れることを確実に防止することができる。
【００３６】
以上のように、障子の下框の案内溝内に下がり規制部材を配置することにより、火災時に樹脂製の戸車ａ等が溶解しても、障子が大きく降下することを防止でき、枠体から外れることを防ぐことができる。
そして、下がり規制部材の下面には、案内レールに沿って下方に突出する内、外突出部が形成され、その間に凹状のレール載置部が形成されているので、障子が案内レールの上面に載置された際には、内、外突出部が室内外への移動を阻止して、案内レールからの脱落を防止することができる。
また、下がり規制部材は、アルミの押出成形等によって短尺状のブロック状に形成することで、案内レールに対して所定の範囲に亘って線接触状態で載置されることとなり、障子が載置されることによってかかる荷重が案内レールの一点に集中せずに分散して、比較的長時間に亘って案内レールに対する載置状態を維持することができる。
【００３７】
なお、本実施形態においては、下がり規制部材は、ブロック状の金属材料により形成されていることが好ましいが、建具のレール部分の形状や構造によっては、スチールやステンレス等の板状部材を折り曲げることで形成することもでき、さらに言えば、難燃性を備えて火災時にある程度の時間形状を維持でき、障子の脱落を抑制できるものであれば、その材料や形状は何ら限定されるものではない。
また、本発明は、上記実施形態において採用されているフラットレールタイプの引き違い建具に限定されるものではなく、下枠に形成されたレールに対して摺動自在に配置された建具であれば、どのような建具であっても良く、建具自体の構成についても何ら限定されるものではない。
【符号の説明】
【００３８】
１        ：枠体
１１      ：上枠
１２      ：下枠
１２ａ    ：中空部
１２１    ：下枠本体
１２１ａ  ：内案内レール
１２１ｂ  ：外案内レール
１２１ｃ  ：室外側部材
１２２    ：下枠補助部材
１２３    ：下枠レール間補助部材
１２４    ：樹脂下部材
１２４ａ  ：上壁部
１２４ｂ  ：室外側脚部
１２４ｃ  ：室内側脚部
１２４ｄ  ：顎部
１２４ｅ  ：係止片
１２５    ：樹脂カバー部材
１３      ：左縦枠
１４      ：右縦枠
２        ：内障子
２１      ：上框
２２      ：下框
２２ａ    ：案内溝
２２ｂ    ：パネル間口
２２１    ：室外側下框部
２２１ａ  ：中空部
２２１ｂ  ：室外側垂下片
２２２    ：室内側下框部
２２２ａ  ：中空部
２３      ：左縦框（召合框）
２４      ：右縦框（戸先框）
３        ：外障子
３１      ：上框
３２      ：下框
３２ａ    ：案内溝
３３      ：左縦框（戸先框）
３３ｂ    ：パネル間口
３３１    ：室外側戸先框部
３３１ａ  ：中空部
３４      ：右縦框（召合框）
３４ａ    ：中空部
３４ｂ    ：パネル間口
６        ：下がり規制部材
６ａ      ：固定孔
６１      ：内突条部
６２      ：外突条部
６３      ：レール載置部
８１      ：クレセント錠
８２      ：クレセント受け
９３４    ：補強部材
９３４ｂ  ：内周側壁部
９３４ｄ  ：外れ止め金具
【図１】
2018066243.tif 000003
【図２】
2018066243.tif 000004
【図３】
2018066243.tif 000005
【図４】
2018066243.tif 000006
【図５】
2018066243.tif 000007
【図６】
2018066243.tif 000008
【図７】
2018066243.tif 000009
【手続補正書】
【提出日】平成28年12月13日(2016.12.13)
【手続補正１】
【補正対象書類名】特許請求の範囲
【補正対象項目名】全文
【補正方法】変更
【補正の内容】
【特許請求の範囲】
【請求項１】
建物開口部に配置される枠体と、枠体内に開閉自在に配置される障子を備え、
障子は、下框の下レールの案内溝内に火災時に障子の下がりを防止するための下がり規制部材を有しており、
下がり規制部材は、見込み方向両端に案内レールに沿って下方に向けて突出する内突条部、外突条部を備えている
ことを特徴とする建具。
【手続補正２】
【補正対象書類名】明細書
【補正対象項目名】０００６
【補正方法】変更
【補正の内容】
【０００６】
本発明は、建物開口部に配置される枠体と、枠体内に開閉自在に配置される障子を備え、障子は、下框の下レールの案内溝内に火災時に障子の下がりを防止するための下がり規制部材を有しており、下がり規制部材は、見込み方向両端に案内レールに沿って下方に向けて突出する内突条部、外突条部を備えていることを特徴とする。
【手続補正３】
【補正対象書類名】明細書
【補正対象項目名】００３３
【補正方法】変更
【補正の内容】
【００３３】
下がり規制部材６の作用について、外障子３の下框３２の案内溝３２ａ内に配置される下がり規制部材６を用いてさらに説明する。
下がり規制部材６は、図６（ａ），（ｂ）に示すように、  内、外突条部６１，６２が見込み方向両端に外案内レール１２１ｂに沿って下方に向けて突出しており、レール載置部６３が外案内レール１２１ｂの案内条１２１ｇに対向するように配置される。
通常時においては障子が戸車ａにより支えられているので、図６（ｂ）に示すように、下がり規制部材６の内、外突条部６１，６２の下端は外案内レール１２１ｂの案内条１２１ｇよりも上方位置に配置されており、下がり規制部材６が外案内レール１２１ｂに干渉することなく、戸車ａによって外案内レール１２１ｂ上をスムーズに走行することができる。
また、火災時に戸車ａが溶解した時には、図６（ｃ）に示すように、下がり規制部材６の内、外突条部６１，６２が外案内レール１２１ｂの上部壁１２１ｅに載置され、それ以上、障子が大きく下降することを防ぐことができる。
ここで、下がり規制部材６の固定位置の上方位置において、下框２２，３２の下方中空部２２１ｂ，３２１ｂの内部に補強部材９２２，９３２が配置されているので、ピース状の下がり規制部材６から下框２２，３２が受ける力を補強部材９２２，９３２で受けることで、下框２２，３２の潰れを防いでいる。